(57)【特許請求の範囲】
【請求項１】
マルチメディア電話アプリケーションサーバーＭＭＴｅｌ ＡＳによって、ユーザ機器ＵＥによってスタートされた相応サービス要求に基づいて、課金計算要求ＡＣＲメッセージを課金計算データ機能ＣＤＦユニットに送信するステップと、
ＣＤＦユニットによって、受信したＡＣＲメッセージに基づいて、相応する課金計算データ記録ＣＤＲを生成し、生成したＣＤＲを課金計算ゲートウェイ機能ＣＧＦユニットに送信するステップと、
ＣＧＦユニットによって、受信したＣＤＲに対して前処理を行うと共に、相応する請求書を生成するように、生成したＣＤＲファイルを予め設定した規則に従って課金計算センターに送信するステップと、を含み、
ＡＣＲメッセージと各前記ＣＤＲとに、会議識別子フィールドとオンライン参加メンバー数フィールドと会議参加メンバーの動作型フィールドとが含まれることを特徴とするマルチメディア会議サービスの課金計算方法。
【請求項２】
前記ＣＤＲファイルの伝送は、ＣＧＦユニットによる自発的ブッシュＰＵＳＨ方式と、課金計算センターによる自発的取得ＰＵＬＬ方式と、又は前記二つの方式の結合とを介して実現することを特徴とする請求項１に記載のマルチメディア会議サービスの課金計算方法。
【請求項３】
前記サービス要求は、マルチメディア会議の構築要求で、前記会議参加メンバーの動作型はマルチメディア会議の構築であることを特徴とする請求項１又は２に記載のマルチメディア会議サービスの課金計算方法。
【請求項４】
前記サービス要求はマルチメディア会議に自発的に参加する要求で、前記会議参加メンバーの動作型はマルチメディア会議に自発的に参加することであることを特徴とする請求項１又は２に記載のマルチメディア会議サービスの課金計算方法。
【請求項５】
前記サービス要求はマルチメディア会議に他のＵＥを招請する要求で、前記会議参加メンバーの動作型はマルチメディア会議に招請されることであることを特徴とする請求項１又は２に記載のマルチメディア会議サービスの課金計算方法。
【請求項６】
前記サービス要求はマルチメディア会議からの退出で、前記会議参加メンバーの動作型はマルチメディア会議からの退出であることを特徴とする請求項１又は２に記載のマルチメディア会議サービスの課金計算方法。
【請求項７】
ＭＭＴｅｌ ＡＳにＵＥのサービス要求メッセージを転送する呼び出しセッション制御機能ユニットと、
ＵＥによってスタートされた相応するサービス要求に基づいて、ＣＤＦユニットにＡＣＲメッセージを送信するＭＭＴｅｌ ＡＳと、
受信したＡＣＲメッセージに基づいて相応するＣＤＲを生成し、該ＣＤＲをＣＧＦユニットに送信するＣＤＦユニットと、
受信したＣＤＲに対して前処理を行うと共に、ＣＤＲファイルを予め設定された規則に従って課金計算センターに送信するＣＧＦユニットと、
ＣＤＲファイルに基づいて相応する請求書を生成する課金計算センターと、を備え、
前記ＡＣＲメッセージと各前記ＣＤＲとに、会議識別子フィールドとオンライン会議メンバー数フィールドと会議参加メンバーの動作型フィールドとが含まれることを特徴とするマルチメディア会議サービスの課金計算システム。
【請求項８】
前記ＣＤＲファイルの伝送は、ＣＧＦユニットによる自発的ブッシュＰＵＳＨ方式と、課金計算センターによる自発的取得ＰＵＬＬ方式と、又は該二つの方式の結合とによって実現することを特徴とする請求項７に記載のマルチメディア会議サービスの課金計算システム。
【発明の詳細な説明】
【技術分野】
【０００１】
本発明は、課金計算技術に関し、具体的に、マルチメディア会議サービスの課金計算方法及びそのシステムに関する。
【背景技術】
【０００２】
従来、ＩＰマルチメディアサブシステム（Ｉｎｔｅｒｎｅｔ  Ｐｒｏｔｏｃｏｌ  Ｍｕｌｔｉｍｅｄｉａ  Ｓｕｂｓｙｓｔｅｍ、以下ＩＭＳと略称）のマルチメディア電話（Ｍｕｌｔｉｍｅｄｉａ  Ｔｅｌｅｐｈｏｎｅ、以下ＭＭＴｅｌと略称）サービスには、通信の前転送、通信保持、通信待ち及びマルチメディア会議等のさまざまなサブサービスが含まれる。各サブサービスについて、ＩＭＳは異なる課金計算方法を実行し、その中、マルチメディア会議の課金計算（ＣＯＮＦ  Ｃｈａｒｇｉｎｇ）は、会議費と会議に参加する各メンバーの通信費との二つの部分に係わる。
【０００３】
上記の会議に参加するメンバーの通信費は、通常、既存のポイント・ツー・ポイントの通信等の課金計算基準に応じて行い、会議費については、通常、簡単にマルチメディア会議をスタートする際に会議構築方のため会議開始課金計算データレコード（Ｃｈａｒｇｉｎｇ  Ｄａｔａ  Ｒｅｃｏｒｄ、以下ＣＤＲと略称）を生成し、マルチメディア会議が終了する際に、会議構築方のため会議終了ＣＤＲを生成することによって徴収するので、課金計算精度が低く、且つ、会議に参加するメンバーの通信費を処理するセッション確立プロトコルアプリケーションサーバー（Ｓｅｓｓｉｏｎ  Ｉｎｉｔｉａｔｉｏｎ  Ｐｒｏｔｏｃｏｌ  Ａｐｐｌｉｃａｔｉｏｎ  Ｓｅｒｖｅｒ、以下ＳＩＰ ＡＳと略称）によって、マルチメディア会議に関するすべてのＣＤＲが生成される。運営者の課金計算に対する要求が日々精緻化している現在、第３世代移動体通信システムの標準化プロジェクト（３ｒｄ  Ｇｅｎｅｒａｔｉｏｎ  Ｐａｒｔｎｅｒｓｈｉｐ Ｐｒｏｊｅｃｔ、以下３ＧＰＰと略称）における課金計算基準には、マルチメディア会議の会議費は、該マルチメディア会議の持続時間と参加メンバーの数に基づいて計算されるべきであると明確に規定された。従って、既存のマルチメディア会議サービスの課金計算方法によると、このような課金計算精度に関する要求を満たすことができない。
【発明の概要】
【発明が解決しようとする課題】
【０００４】
本発明は、上記の関連技術における既存の課金計算方法による課金計算の精度が３ＧＰＰ課金計算標準を満たすことができないことに鑑み提出されたもので、会議の参加メンバーの数の変化又は他の変化に基づいてＣＤＲを生成することによって、マルチメディア会議サービスの課金計算の精度及び正確性を向上して上記の問題を解決できるマルチメディア会議サービスの課金計算方案を提出することを目的とする。
【課題を解決するための手段】
【０００５】
上記の目的を実現するため、本発明の一方面によると、マルチメディア会議サービスの課金計算方法を提出する。
【０００６】
本発明によるマルチメディア会議サービスの課金計算方法は、マルチメディア電話アプリケーションサーバーＭＭＴｅｌ ＡＳによって、ユーザ機器ＵＥによってスタートされた相応するサービス要求に基づいて、課金計算要求ＡＣＲメッセージを課金計算データ機能ＣＤＦユニットに送信し；ＣＤＦユニットによって、受信したＡＣＲメッセージに基づいて、相応する課金計算データ記録ＣＤＲを生成し、生成したＣＤＲを課金計算ゲートウェイ機能ＣＧＦユニットに送信し；ＣＧＦユニットによって、受信したＣＤＲに対して前処理を行うと共に、相応する請求書を生成するように、生成したＣＤＲファイルを予め設定した規則に従って課金計算センターに送信するステップを含み、その中、ＡＣＲメッセージと各前記ＣＤＲとに、会議識別子フィールドとオンライン参加メンバー数フィールドと会議参加メンバーの動作型フィールドとが含まれる。
【０００７】
上記の発明において、ＡＣＲメッセージは、会議参加メンバーの動作型フィールドをさらに含み、ＣＤＲファイルの伝送は、ＣＧＦユニットによる自発的ブッシュＰＵＳＨ方式と、課金計算センターによる自発的取得ＰＵＬＬ方式と、又は上記二つの方式の結合とを介して実現することが好ましい。
【０００８】
上記の発明において、サービス要求はマルチメディア会議の構築要求で、会議参加メンバーの動作型はマルチメディア会議の構築であって；サービス要求はマルチメディア会議に自発的参加の要求で、会議参加メンバーの動作型はマルチメディア会議に自発的に参加することであって；サービス要求はマルチメディア会議に他のＵＥを招請する要求で、会議参加メンバーの動作型はマルチメディア会議に招請されることであって、サービス要求はマルチメディア会議からの退出で、会議参加メンバーの動作型はマルチメディア会議からの退出であることが好ましい。
【０００９】
上記の目的を実現するため、本発明の他の一方面によると、マルチメディア会議サービスの課金計算システムを提供する。
【００１０】
本発明によるマルチメディア会議サービスの課金計算システムは、ＭＭＴｅｌ ＡＳにＵＥのサービス要求メッセージを送信する呼び出しセッション制御機能ユニットと、ＵＥによってスタートされた相応するサービス要求に基づいて、ＣＤＦユニットにＡＣＲメッセージを送信するＭＭＴｅｌ ＡＳと、受信したＡＣＲメッセージに基づいて相応するＣＤＲを生成し、該ＣＤＲをＣＧＦユニットに送信するＣＤＦユニットと、受信したＣＤＲに対して前処理を行うと共に、ＣＤＲファイルを予め設定された規則に従って課金計算センターに送信するＣＧＦユニットと、ＣＤＲファイルに基づいて相応する請求書を生成する課金計算センターと、を備え、ＡＣＲメッセージと各前記ＣＤＲとに、会議識別子フィールドとオンライン会議メンバー数フィールドと会議参加メンバーの動作型フィールドとが含まれる。
【００１１】
上記発明において、ＡＣＲメッセージに、会議参加メンバーの動作型フィールドがさらに含まれることが好ましい。
【００１２】
ＣＤＲファイルの伝送が、ＣＧＦユニットによる自発的ブッシュＰＵＳＨ方式と、課金計算センターによる自発的取得ＰＵＬＬ方式と、又は該二つの方式の結合とによって実現されることが好ましい。
【発明の効果】
【００１３】
本発明によって提出されるマルチメディア会議サービスの課金計算方法及びシステムによると、マルチメディア電話サービスを行っているＭＭＴｅｌ ＡＳによって、マルチメディア会議のために会議費の課金計算メッセージを生成し、また、一回のマルチメディア会議において、会議が開始される際又は終了する際に会議ＣＤＲを生成/処理する以外、会議参加メンバーが自発的に会議に参加する場合、会議メンバーが会議に招請される場合、又は会議参加メンバーが会議から退出する場合、中間課金計算メッセージに基づいて、会議ＣＤＲをアップデートし/イベント類ＣＤＲを生成し、ＣＤＲにリアルタイムの参加メンバーの数状況及び他の有効の課金計算情報を記録することによって、会議参加メンバーの数の変化状況及び他の有効の課金計算情報をリアルタイムに提供することができ、課金計算精度を向上させることができる。
【００１４】
本発明によると、課金計算要求メッセージに会議識別子（ＣＯＮＦ  ＩＤ）フィールドを含ませ、同一の会議の場合、ＣＯＮＦ  ＩＤは全てのＣＤＲにおいて一致し、且つ一定の時間内において、異なる会議に対して唯一性を有するので、ＣＯＮＦ  ＩＤに基づいて異なる会議を区別することができ、ＣＯＮＦ  ＩＤに基づいて、同一の会議に関連づけられた複数のＣＤＲの集合及び関連を実現し、課金計算精度及び正確性を向上させることができる。
【図面の簡単な説明】
【００１５】
ここで説明する図面は本発明を理解させるためのもので、本発明の一部を構成し、本発明における実施例及びその説明は本発明を解釈するもので、本発明を不当に限定するのではない。
【図１】本発明に係わるマルチメディア会議サービスの課金計算システムの構造を示す図である。
【図２】本発明に係わるマルチメディア会議サービスの課金計算方法を示すフローチャートである。
【図３】本発明の実施例１に係わるＵＥ１によりマルチメディア会議を構築する際の課金計算メッセージを示すフローチャートである。
【図４】本発明の実施例２に係わるＵＥ２によりマルチメディア会議に自発的に参加した際の課金計算メッセージのフローチャートである。
【図５】本発明の実施例３に係わるＵＥ３がマルチメディア会議に招請された際の課金計算メッセージのフローチャートである。
【図６】本発明の実施例４に係わるマルチメディア会議が終了する際の課金計算メッセージのフローチャートである。
【発明を実施するための形態】
【００１６】
以下、図面を参照しつつ、実施例を結合して本発明を詳しく説明する。ここで、互いに衝突しない状況下、本発明に記載の実施例及び実施例に記載の特徴は互いに組み合わせることができる。
【００１７】
本発明の基本的な思想は、ＭＭＴｅｌ ＡＳが、ユーザ機器（Ｕｓｅｒ  Ｅｑｕｉｐｍｅｎｔ、以下ＵＥと略称）からスタートされた相応するサービス要求に基づいて、ＣＯＮＦ  ＩＤとオンライン会議参加メンバー数（Ｏｎｌｉｎｅ  Ｐａｒｔｉｃｉpａｎｔｓ  Ｎｕｍｂｅｒ）を含む課金計算要求（Ａｃｃｏｕｎｔｉｎｇ  Ｒｅｑｕｅｓｔ、以下ＡＣＲと略称）メッセージを、課金計算データ機能（Ｃｈａｒｇｉｎｇ  Ｄａｔａ  Ｆｕｎｃｔｉｏｎ、以下ＣＤＦと略称）ユニットに送信し、ＣＤＦユニットによって相応するＣＤＲを生成して該ＣＤＲを課金計算ゲートウェイ機能（Ｃｈａｒｇｉｎｇ  Ｇａｔｅｗａｙ  Ｆｕｎｃｔｉｏｎ、以下ＣＧＦと略称）ユニットに送信し、ＣＧＦユニットによってＣＤＲに対して前処理を行った後、ＣＤＲファイルを課金計算センター（Ｂｉｌｌｉｎｇ  Ｄｏｍａｉｎ、以下ＢＤと略称）に伝送して相応する請求書を生成する。結果、課金計算センターでは、マルチメディア会議の持続時間及び会議に参加するメンバー数に基づいて、請求書を生成することができるので、課金計算の精度及び正確度を向上させることができる。
【００１８】
図１は、本発明に係わるマルチメディア会議サービスの課金計算システムの構造を示す図で、図１に示すように、該課金計算システムは、ＵＥのサービス要求メッセージをＡＳに転送する呼び出しセッション制御機能（Ｃａｌｌ  Ｓｅｓｓｉｏｎ  Ｃｏｎｔｒｏｌ  Ｆｕｎｃｔｉｏｎ、以下ＣＳＣＦと略称）ユニットと、ＵＥによってスタートされた相応するサービス要求に基づいて、Ｒｆインターフェースを介してＣＤＦユニットにＡＣＲメッセージを送信するＭＭＴｅｌ ＡＳと、受信したＡＣＲメッセージに基づいて、相応するＣＤＲを生成し、Ｇａインターフェースを介して該ＣＤＲをＣＧＦユニットに送信するＣＤＦユニットと、受信したＣＤＲに対して前処理を行い、予め設定した規則に従ってＣＤＲファイルを課金計算センターに伝送するＣＧＦユニットと、ＣＤＲファイルに基づいて相応する請求書を生成する課金計算センターと、を備える。
【００１９】
上記のＡＣＲメッセージとＣＤＲとは、ＣＯＮＦ  ＩＤフィールドとＯｎｌｉｎｅ  Ｐａｒｔｉｃｉｐａｎｔｓ  Ｎｕｍｂｅｒフィールドとを含み、会議に参加したオンライン参加メンバー数をリアルタイムに記録し、同一の会議中の複数のＣＤＲの関連と集合（Ａｇｇｒｅｇａｔｉｏｎ）とに便宜を提供する。
【００２０】
上記の前処理は、ＣＤＲファイルの合併とエラー処理などであることができる。
【００２１】
上記ＣＤＲファイルの伝送は、ＣＧＦユニットによる自発的ブッシュ（ＰＵＳＨ）方式、ＢＤによる自発的取得（ＰＵＬＬ）方式又は両方の結合によって実現することができる。ＰＵＳＨ方式の場合、予め設定される規則は、ファイルのサイズ、ファイルの利用可能の可否、格納容量、又は間隔時間等に基づいて設定することができ、ＣＤＲファイルの格納容量が予め設定されたＣＧＦユニットの格納容量の限界を超えると、ＣＤＲファイルをＢＤに送信するようにＣＧＦユニットをトリガーし、ＰＵＬＬ方式の場合、ＢＤは予め設定された時刻又は周波数に基づいて自発的にＣＤＲファイルを取得することができる。
【００２２】
図２は、本発明のマルチメディア会議サービスの課金計算方法を示すフローチャートである。図２に示すように、該方法は以下のステップ１００〜ステップ１２０を含む。
【００２３】
ステップ１００において、ＵＥによってスタートされた相応するサービス要求に基づいて、ＭＭＴｅｌ ＡＳは、ＡＣＲメッセージをＣＤＦユニットに送信する。
【００２４】
該ステップにおいて、ＵＥのサービス要求は、マルチメディア会議の構築要求メッセージ、マルチメディア会議への参加要求メッセージ、他のＵＥをマルチメディア会議に招請する要求メッセージ、または、マルチメディア会議からの退出要求メッセージなどであることができ、ＭＭＴｅｌ ＡＳはＣＯＮＦ  ＩＤとＯｎｌｉｎｅ  Ｐａｒｔｉｃｉｐａｎｔｓ  Ｎｕｍｂｅｒを課金計算要求メッセージＡＣＲに挿入し、Ｒｆインターフェースを介してＣＤＦユニットに送信する。その中、ＣＯＮＦ  ＩＤは、マルチメディア会議を構築するたびにＭＭＴｅｌ ＡＳによって設定するもので、該マルチメディア会議を終了する前に、ＣＯＮＦ  ＩＤは変化せず、設定された時間周期内において唯一の重複しない値であって、即ち、同一のマルチメディア会議に所属する複数のＣＤＲは同一且つ唯一のＣＯＮＦ  ＩＤを有し、同一の会議における複数のＣＤＲの関連又は集合に用いることができる。
【００２５】
該ＡＣＲメッセージは、運営者に会議のＣＤＲが例えば、マルチメディア会議の構築、マルチメディア会議に自発的に参加、マルチメディア会議に招請され参加、又はマルチメディア会議から退出などの、どんな動作によって引き起こされるかを指示する参加メンバー動作型（Ｐａｒｔｉｃｉｐａｎｔｓ  Ａｃｔｉｏｎ  Ｔｙｐｅ）フィールドをさらに含む。
【００２６】
ステップ１１０において、受信したＡＣＲメッセージに基づいて、ＣＤＦユニットは相応するＣＤＲを生成し、課金計算応答（Ａｃｃｏｕｎｔｉｎｇ  Ａｎｓｗｅｒ、以下ＡＣＡと略称）メッセージをＭＭＴｅｌ ＡＳに返信し、生成されたＣＤＲをＣＧＦユニットに送信する。
【００２７】
該ステップにおいて、ＣＤＲは、同様に、ＣＯＮＦ  ＩＤフィールドと、Ｏｎｌｉｎｅ  Ｐａｒｔｉｃｉｐａｎｔｓ  Ｎｕｍｂｅｒフィールドと、Ｐａｒｔｉｃｉｐａｎｔｓ  Ａｃｔｉｏｎ  Ｔｙｐｅフィールドとを含み、Ｏｎｌｉｎｅ  Ｐａｒｔｉｃｉｐａｎｔｓ  Ｎｕｍｂｅｒは、同一のＣＤＲにおけるタイムスタンプを結合して、１回の会議に複数のＣＤＲが存在する場合、会議参加メンバーの数の変化を正確に反映し、課金計算センターによる会議費の計算のため充分な情報を提供する。
【００２８】
マルチメディア会議の会議費はセッションと関係ないことも、セッションと関連づけられていることもでき、セッションと関係ないのであれば、ＣＤＦユニットは、会議を構築する場合、新メンバーが自発的に会議に参加する場合、新メンバーが会議に招請された場合、メンバーが会議から退出する場合、会議が終了する場合、それぞれで、今回会議のため幾つかのイベント類ＣＤＲ（Ｅｖｅｎｔ ＣＤＲ）を生成し、セッションと関連づけられていると、ＣＤＦユニットは、会議を構築する場合、新メンバーが会議に自発的に参加する場合、メンバーが会議に招請された場合、メンバーが会議から退出する場合、会議が終了する場合、それぞれで、今回の会議のため通話明細ＣＤＲのオープンと、通話明細ＣＤＲのアップデート（Ｕｐｄａｔｅ）と、通話明細ＣＤＲのオフとを行う。いずれにしても、ＣＯＮＦ  ＩＤの値は会議を構築するたびに設定される値で、会議が終了するまで変化しない。
【００２９】
ステップ１２０においては、ＣＧＦユニットは、受信したＣＤＲに対して前処理を行って、相応する請求書を生成するように、ＣＤＲファイルを予め設定した規則に従って課金計算センターに送信する。
【００３０】
該ステップにおいて、上記前処理は、ＣＤＲファイルの合併又はエラー処理などであることができる。
【００３１】
上記ＣＤＲファイルの伝送は、ＣＧＦユニットによる自発的ブッシュ（ＰＵＳＨ）方式、ＢＤによる自発的取得（ＰＵＬＬ）方式又は両方の結合によって実現することができる。ＰＵＳＨ方式において、予め設定される規則は、ファイルのサイズ、ファイルの利用可能の可否、格納容量、又は間隔時間等に基づいて設定することができ、ＣＤＲファイルの格納容量が予め設定されたＣＧＦユニットの格納容量の限界を超えると、ＣＤＲファイルをＢＤに送信するようにＣＧＦユニットをトリガーする。ＰＵＬＬ方式の場合、ＢＤは、予め設定された時刻又は周波数に基づいて自発的にＣＤＲファイルを取得する。
【００３２】
マルチメディア会議の課金計算において、会議参加メンバーは、呼び出し側として各分岐を呼び出す通信費は、ＩＭＳ基本ネットワークエレメントサービス/尋ね/委任呼び出しセッション制御機能（Ｓ/Ｉ/Ｐ ＣＳＣＦ）ユニットとＳＩＰ ＡＳにより課金計算情報を生成する範囲に所属する。一方、会議費はＭＭＴｅｌ ＡＳによる課金計算情報の生成の範囲に所属する。ＳＩＰ ＡＳとＭＭＴｅｌ ＡＳは論理上の区分で、実際の物理配置において、両者は同一のＡＳ実体に共存することができる。
【００３３】
本発明に提出されるマルチメディア会議の課金計算原則は、参加メンバーの通信費はＳＩＰ ＡＳとマルチメディア資源機能コントローラ（Ｍｕｌｔｉｍｅｄｉａ  Ｒｅｓｏｕｒｃｅ  Ｆｕｎｃｔｉｏｎ  Ｃｏｎｔｒｏｌｌｅｒ、以下ＭＲＦＣと略称）によって測定され、会議費はマルチメディア会議サービスを処理するＭＭＴｅｌ ＡＳとＭＲＦＣによって測定される。
【００３４】
以下、図面と実施例を結合して本発明によるマルチメディア会議サービスの課金計算方法を説明する。
【００３５】
簡単なマルチメディア会議の場合を例に、ＵＥ１と、ＵＥ２と、ＵＥ３との三つのＵＥがあり、ＵＥ１は、マルチメディア会議を構築するのに成功し、ＵＥ２は該マルチメディア会議に自発的に参加し、ＵＥ３は該マルチメディア会議に招請され、該マルチメディア会議は一定時間続いた後終了したとする。該マルチメディア会議の終了をトリガーする条件は、構築方であるＵＥ１の退出、又はすべてのＵＥの退出であることができ、具体的なトリガー条件は、運営者自体の課金計算戦略に基づいて決められる。該実施例において、課金計算戦略は、ＵＥ１の退出によって該マルチメディア会議の終了をトリガーすることであるとし、セッションに関連づけられた課金計算方式を介して、ＣＧＦユニットによる自発的ＰＵＳＨ方式でＣＤＲファイルを送信する。
【００３６】
実施例１
該実施例によるマルチメディア会議は、マルチメディア会議が構築されておらず、ＵＥ１によりマルチメディア会議を構築する場合である。
【００３７】
図３は、本発明の実施例１に係わるＵＥ１によりマルチメディア会議を構築する際の課金計算メッセージを示すフローチャートである。図３に示すように、ステップＡ１〜Ａ１５は、ＵＥ１とＡＳによってマルチメディア資源を協議するプロセスであって、マルチメディア資源の協議が成功した後、ステップＡ１６を実行し、ステップＡ２０〜Ａ２２において、ＡＳは２００ｏｋ応答メッセージをＵＥ１に返信し、ＵＥ１は２００ｏｋ応答を受信した後、確認メッセージ（ＡＣＫ）をＡＳに送信すると共に、ステップＡ１７〜Ａ１９を実行する。ＡＳによりマルチメディア会議サービスの課金計算プロセスをスタートする。
【００３８】
その中、該マルチメディア会議サービスの課金計算方法は以下のステップを含む：
【００３９】
ステップ１，ＵＥ１によりスタートされたマルチメディア会議の構築要求に基づいて、ＭＭＴｅｌ ＡＳはＣＤＦユニットにＡＣＲメッセージを送信する。
【００４０】
該ＡＣＲメッセージにおいて、ＣＯＮＦ  ＩＤフィールドはＭＭＴｅｌ ＡＳによって設定され、該実施例において、該マルチメディア会議のＣＯＮＦ  ＩＤ値は１００で、Ｏｎｌｉｎｅ  Ｐａｒｔｉｃｉｐａｎｔｓ  Ｎｕｍｂｅｒフィールドは、リアルタイムのオンライン参加メンバーの数を記録し、該フィールドはＭＭＴｅｌ ＡＳによって書き込まれ、この時、その値は１である。ＡＣＲメッセージには、運営者に会議のＣＤＲがどんな動作によってスタートされるかを指示するＰａｒｔｉｃｉｐａｎｔｓ  Ａｃｔｉｏｎ  Ｔｙｐｅフィールドも含まれ、該実施例において、該フィールドの値は会議の構築で、即ちＣＲＥＡＴＥ＿ＣＯＮＦである。
【００４１】
ステップ２，受信したＡＣＲメッセージに基づいて、ＣＤＦユニットは、会議の通話明細ＣＤＲをオープンし、ＡＣＡメッセージをＭＭＴｅｌ ＡＳに返信すると共に、ＣＤＲをＣＧＦユニットに送信する。
【００４２】
ＣＤＦユニットによって一つの会議ＣＤＲをオープンし、該ＣＤＲはＣＯＮＦ  ＩＤフィールドと、Ｏｎｌｉｎｅ  Ｐａｒｔｉｃｉｐａｎｔｓ  Ｎｕｍｂｅｒフィールドと、Ｐａｒｔｉｃｉｐａｎｔｓ  Ａｃｔｉｏｎ  Ｔｙｐｅフィールドとを含み、ＣＯＮＦ  ＩＤ値は１００で、Ｏｎｌｉｎｅ  Ｐａｒｔｉｃｉｐａｎｔｓ  Ｎｕｍｂｅｒ値は１で、Ｐａｒｔｉｃｉｐａｎｔｓ  Ａｃｔｉｏｎ  Ｔｙｐｅ値はＣＲＥＡＴＥ＿ＣＯＮＦである。
【００４３】
ステップ３，ＣＧＦユニットは受信したＣＤＲに対して前処理を行うと共に、請求書を生成するように、生成したＣＤＲファイルを予め設定された規則に従って課金計算センターに送信する。
【００４４】
ここで、予めＣＤＲファイルの格納容量の限界を設定し、該ＣＤＲファイルが該格納容量の限界を超えると、ＣＧＦユニットによって該ＣＤＲファイルをＰＵＳＨによって課金計算センターに送信するようにすることができる。
【００４５】
実施例２
該実施例によるマルチメディア会議は、マルチメディア会議がＵＥ１によって構築され、ＵＥ２がＵＥ１により構築されたマルチメディア会議への参加を自発的に要求した場合である。
【００４６】
図４は、本発明の実施例２に係わるＵＥ２によりマルチメディア会議へ自発的に参加する際の課金計算メッセージを示すフローチャートである。図４に示すように、ステップＡ１〜Ａ１４はＵＥ２とＡＳとによってマルチメディア資源を協議するプロセスで、マルチメディア資源の協議が成功した後、ステップＡ１５を実行し、ステップＡ１９〜Ａ２１において、ＡＳは２００ｏｋ応答メッセージをＵＥ２に返信し、ＵＥ２は２００ｏｋ応答を受信した後、確認メッセージ（ＡＣＫ）をＡＳに送信すると共に、ステップＡ１６〜Ａ１８を実行する。ＡＳによってマルチメディア会議サービスの課金計算プロセスをスタートする。
【００４７】
その中、該マルチメディア会議サービスの課金計算方法は、以下のステップ１〜ステップ３を含む：
【００４８】
ステップ１において、ＵＥ２によってスタートされたマルチメディア会議への参加要求に基づいて、ＭＭＴｅｌ ＡＳはＡＣＲメッセージをＣＤＦユニットに送信する。
【００４９】
該ＡＣＲメッセージにおいて、ＣＯＮＦ  ＩＤの値は１００で、Ｏｎｌｉｎｅ  Ｐａｒｔｉｃｉｐａｎｔｓ  Ｎｕｍｂｅｒフィールドは、リアルタイムのオンライン参加メンバーの数を記録し、該フィールドはＭＭＴｅｌ ＡＳによって書き込まれ、この時、その値は２である。ＡＣＲメッセージは、運営者に会議ＣＤＲがどの動作によってスタートされるかを指示するＰａｒｔｉｃｉｐａｎｔｓ  Ａｃｔｉｏｎ  Ｔｙｐｅフィールドをさらに含み、該実施例において、該フィールドの値は会議への加入で、即ちＪＯＩＮ＿ＣＯＮＦである。
【００５０】
ステップ２において、受信したＡＣＲメッセージに基づいて、ＣＤＦユニットは会議ＣＤＲをアップデートし、ＭＭＴｅｌ ＡＳにＡＣＡメッセージを返信すると共に、ＣＧＦユニットにＣＤＲを送信する。
【００５１】
ＣＤＦユニットによって会議ＣＤＲをアップデートし、該ＣＤＲは、ＣＯＮＦ  ＩＤフィールドと、リスト形式で現れるＯｎｌｉｎｅ  Ｐａｒｔｉｃｉｐａｎｔｓ  Ｎｕｍｂｅｒフィールドと、Ｐａｒｔｉｃｉｐａｎｔｓ  Ａｃｔｉｏｎ  Ｔｙｐｅフィールドと、タイムスタンプとを含み、ＣＯＮＦ  ＩＤ値は１００で、Ｏｎｌｉｎｅ  Ｐａｒｔｉｃｉｐａｎｔｓ  Ｎｕｍｂｅｒ値は２で、Ｐａｒｔｉｃｉｐａｎｔｓ  Ａｃｔｉｏｎ  Ｔｙｐｅ値はＪＯＩＮ＿ＣＯＮＦである。
【００５２】
ステップ３において、ＣＧＦユニットは受信したＣＤＲに対して前処理を行った後、請求書を生成するように、生成したＣＤＲファイルを予め設定された規則に従って課金計算センターに送信する。
【００５３】
ここで、ＣＤＲファイルの格納容量の限界を予め設定し、該ＣＤＲファイルが該格納容量の限界を超えると、ＣＧＦユニットによって該ＣＤＲファイルをＰＵＳＨによって課金計算センターに送信するようにすることができる。
【００５４】
実施例３
該実施例におけるマルチメディア会議は、マルチメディア会議がＵＥ１によって構築され、ＵＥ２は既に該マルチメディア会議に自発的に参加していて、この時、ＵＥ３が上記のＵＥ１によって構築されたマルチメディア会議に招請された場合である。
【００５５】
図５は、本発明の実施例３に係わるＵＥ３がマルチメディア会議に招請された場合の課金計算メッセージを示すフローチャートである。図５に示すように、会議はすでに構築され、他のユーザであるＵＥ３が会議に招請され、ステップＡ１〜Ａ１０において、ＵＥ１はリファレンス（Ｒｅｆｅｒ）メッセージをＡＳに送信して、ＵＥ３を会議に招請し、ＡＳは２０２応答を返信してＲｅｆｅｒメッセージを受信したことを示し、ＡＳは、通知（Ｎｏｔｉｆｙ）メッセージを介してＵＥ１に了解したことを通知し、招請を用意する。ＵＥ１は２００ｏｋ応答をＡＳに返信し、ＡＳは２００ｏｋ応答を受信した後、ＵＥ３にＩｎｖｉｔｅメッセージを送信してＵＥ３を会議に招請し、ＵＥ３はＡＳに２００ｏｋ応答を送信する。ステップＡ１１〜Ａ１３において、ＡＳはマルチメディア会議サービスの課金計算プロセスをスタートする。
【００５６】
その中、該マルチメディア会議の課金計算方法は、以下のステップ１〜ステップ３を含む：
【００５７】
ステップ１において、ＵＥ１によってスタートされたＵＥ３をマルチメディア会議に招請する要求に基づいて、ＭＭＴｅｌ ＡＳはＡＣＲメッセージをＣＤＦユニットに送信する。
【００５８】
該ＡＣＲメッセージにおいて、ＣＯＮＦ  ＩＤ値は１００で、Ｏｎｌｉｎｅ  Ｐａｒｔｉｃｉｐａｎｔｓ  Ｎｕｍｂｅｒフィールドは、リアルタイムのオンライン参加メンバーの数を記録し、該フィールドはＭＭＴｅｌ ＡＳによって書き込まれ、この時、その値は３である。ＡＣＲメッセージに、運営者に会議ＣＤＲがどの動作によってスタートされるのかを指示するＰａｒｔｉｃｉｐａｎｔｓ  Ａｃｔｉｏｎ  Ｔｙｐｅフィールドがさらに含まれ、該実施例において、該フィールドの値は、会議に招請、即ちＩＮＶＩＴＥ＿ＣＯＮＦである。
【００５９】
ステップ２において、受信したＡＣＲメッセージに基づいて、ＣＤＦユニットは会議ＣＤＲをアップデートし、ＡＣＡメッセージをＭＭＴｅｌ ＡＳに送信すると共に、ＣＤＲをＣＧＦユニットに送信する。
【００６０】
ＣＤＦユニットは会議のＣＤＲをアップデートし、該ＣＤＲは、ＣＯＮＦ  ＩＤフィールドと、リスト形式で表されるＯｎｌｉｎｅ  Ｐａｒｔｉｃｉｐａｎｔｓ  Ｎｕｍｂｅｒフィールドと、Ｐａｒｔｉｃｉｐａｎｔｓ  Ａｃｔｉｏｎ  Ｔｙｐｅフィールドと、タイムスタンプなどを含み、ＣＯＮＦ  ＩＤ値は１００で、Ｏｎｌｉｎｅ  Ｐａｒｔｉｃｉｐａｎｔｓ  Ｎｕｍｂｅｒ値は３で、Ｐａｒｔｉｃｉｐａｎｔｓ  Ａｃｔｉｏｎ  Ｔｙｐｅ値はＩＮＶＩＴＥ＿ＣＯＮＦである。
【００６１】
ステップ３において、ＣＧＦユニットは、受信したＣＤＲに対して前処理を行って、請求書を生成するように、生成されたＣＤＲファイルを予め設定された規則に従って課金計算センターに送信する。
【００６２】
ここで、予めＣＤＲファイルの格納容量の限界を設定し、該ＣＤＲファイルが該格納容量の限界を超えると、ＣＧＦユニットによって該ＣＤＲファイルをＰＵＳＨによって課金計算センターに送信するようにすることができる。
【００６３】
実施例４
該実施例によりマルチメディア会議は、マルチメディア会議がＵＥ１によって構築され、ＵＥ２はすでに該マルチメディア会議に自発的に参加していて、ＵＥ３はすでに招請され、この時、ＵＥ１がマルチメディア会議から退出し、該マルチメディア会議の終了をトリガーする場合である。
【００６４】
図６は、本発明の実施例４に係わるマルチメディア会議が終了する際の課金計算メッセージを示すフローチャートである。図６に示すように、ステップＡ１、ステップＡ２において、ＵＥ１はＣＳＣＦに退出（ＢＹＥ）メッセージを送信して退出を要求し、ＣＳＣＦは該ＢＹＥメッセージをＡＳに転送する。ステップＡ３〜Ａ５において、ＡＳはマルチメディア会議サービスの課金計算プロセスをスタートし、会議ＡＳはＣＤＦにＡＣＲメッセージを送信し、ＣＤＦにより終了ＣＤＲを生成して、ＣＤＦはＡＣＡをＡＳに返信する。ステップＡ６〜Ａ１１において、ＡＳは２００ｏｋ応答をＵＥ１に返信すると共に、ＡＳは他の会議メンバーにＵＥ１の退出を通知し、ＵＥ１は２００ｏｋ応答をＡＳに返信する。
【００６５】
その中、該マルチメディア会議の課金計算方法は具体的に以下のステップ１〜ステップ３を含む：
【００６６】
ステップ１，ＵＥ１によって起されたマルチメディア会議退出要求に基づいて、ＭＭＴｅｌ ＡＳはＡＣＲメッセージをＣＤＦユニットに送信する。
【００６７】
該ＡＣＲメッセージにおいて、ＣＯＮＦ  ＩＤ値は１００で、Ｏｎｌｉｎｅ  Ｐａｒｔｉｃｉｐａｎｔｓ  Ｎｕｍｂｅｒフィールドは、リアルタイムのオンライン参加メンバーの数を記録し、該フィールドはＭＭＴｅｌ ＡＳによって書き込まれ、この時、その値は２である。ＡＣＲメッセージに、運営者に会議ＣＤＲがどの動作によってスタートされるかを指示するＰａｒｔｉｃｉｐａｎｔｓ  Ａｃｔｉｏｎ  Ｔｙｐｅフィールドがさらに含まれ、該実施例において、該フィールドの値は会議からの退出で、即ちＱＵＩＴ＿ＣＯＮＦである。
【００６８】
ステップ２において、受信したＡＣＲメッセージに基づいて、ＣＤＦユニットは、会議ＣＤＲをオフし、ＡＣＡメッセージをＭＭＴｅｌ ＡＳに返信すると共に、ＣＤＲをＣＧＦユニットに送信する。
【００６９】
ＣＤＦユニットは会議ＣＤＲをオフし、該ＣＤＲはＣＯＮＦ  ＩＤフィールドと、リスト形式で表されるＯｎｌｉｎｅ  Ｐａｒｔｉｃｉｐａｎｔｓ  Ｎｕｍｂｅｒフィールドと、Ｐａｒｔｉｃｉｐａｎｔｓ  Ａｃｔｉｏｎ  Ｔｙｐｅフィールドと、タイムスタンプなどを含み、ＣＯＮＦ  ＩＤ値は１００で、，Ｏｎｌｉｎｅ  Ｐａｒｔｉｃｉｐａｎｔｓ  Ｎｕｍｂｅｒ値は２で、Ｐａｒｔｉｃｉｐａｎｔｓ  Ａｃｔｉｏｎ  Ｔｙｐｅ値はＱＵＩＴ＿ＣＯＮＦである。
【００７０】
ステップ３において、ＣＧＦユニットは受信したＣＤＲに対して前処理を行い、請求書を生成するように、ＣＤＲファイルを予め設定された規則に従って課金計算センターに送信する。
【００７１】
ここで、予めＣＤＲファイルの格納容量の限界を設定し、該ＣＤＲファイルが該格納容量の限界を超えると、ＣＧＦユニットは該ＣＤＲファイルをＰＵＳＨによって課金計算センターに送信するようにすることもできる。
【００７２】
本発明の実施例によれば、コンピュータが実行可能な指令が記憶されたコンピュータ読み取り可能な媒体が提供され、該指令がコンピュータ又はプロセッサによって実行される場合、コンピュータ又はプロセッサに図２に示すステップＳ１００〜ステップＳ１２０の処理を行わせる。上記の実施例１〜実施例４における一つ又は複数を実行することが好ましい。
【００７３】
総じていえば、上記の実施例から分かるように、本発明の実施例により提出されたマルチメディア会議サービスの課金計算方法及びそのシステムによれば、同一の会議における複数の会議ＣＤＲの集合がＣＯＮＦ  ＩＤを介して容易に実現でき、また、各部分（ｐａｒｔｉａｌ）ＣＤＲに携帯された会議メンバーの数にタイムスタンプなどの情報を結合して情報完備なリストを現せ、即ち、ＣＤＲにおいて、会議サービスの要求/応答タイムスタンプとオンライン参加メンバーの数などのフィールドとを一つの組み合わせ型フィールドに組み合わせて、ＣＤＲにおいてリスト形式で数回現せることによって、課金計算センターが自分の会議課金計算戦略に従って会議費を計算するように、課金計算センターに詳しく且つ正確な情報を提供することができる。
【００７４】
当業者にとって、上述の本発明の各ブロック又は各ステップは共通の計算装置によって実現することができ、単独の計算装置に集中させることができれば、複数の計算装置から構成されるネットワークに分布させることもでき、或いは計算装置が実行可能なプログラムコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアとの結合にも限定されない。
【００７５】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005779103.tif 000002
【図２】
0005779103.tif 000003
【図３】
0005779103.tif 000004
【図４】
0005779103.tif 000005
【図５】
0005779103.tif 000006
【図６】
0005779103.tif 000007